(57)【特許請求の範囲】
【請求項１】
キャップ本体の上方に係着してスナップヒンジで開閉する小蓋と、容器口部との係合部をもつキャップ本体と、このキャップ本体の内側に係合して吊着する定量栓体とからなる定量排出キャップであって、前記小蓋は、外径がキャップ本体の外径より小さく、周壁の一側の外周に開封用突起を設け、この開封用突起に対応する周壁の位置にスナップヒンジを介して接続する差込片部を垂設し、この差込片部の下方にキャップ本体との係合部を設けたものであり、前記キャップ本体は、天板に設けた排出口と中心点を結ぶ一線上の対応する天板及び側壁の位置に小蓋の差込片部との係合部をもつ背板を垂下する小蓋装着孔を設け、この小蓋装着孔に小蓋の装着に支障のない範囲位置に目隠し板を設け、容器口部との係合部をもつ周壁内面に縦の位置合わせ用スリットを形成し、周壁上方内面に前記定量栓体の本体部より上方の仕切部の両側に当接する位置に回込み防止リブを設けたものであり、前記定量栓体は、開口部周縁にフランジ部を設け、周壁の側面に流入口を設け、周壁外面に流入口より下方に達するスタッキング防止リブを設けたカップ状の本体部に、キャップ本体の小蓋挿着孔を封止する凹陥部を設けた天蓋と中央の垂直板傾斜板を設けた垂下板とからなる仕切部を挿着して、予備室、補充室、計量室、排出孔を区画形成したものであることを特徴とする定量排出キャップ。
【発明の詳細な説明】
【０００１】
【発明の属する技術分野】
本発明は、粉体や顆粒状の食品、洗剤、浴用剤、漂白剤などの内容物を、使用時に一振り操作で使用量だけ定量して排出する定量排出キャップに関するものである。
【０００２】
【従来の技術】
従来、使用時に一振り操作で粉体又は顆粒状の内容物を定量排出する容器としては、図２（ａ）及び（ｂ）に示すように、ボトルや紙容器などの容器（４１０）の口部に、例えば実公平４−１０９３号公報に示された側面に流出口（４２３）を有するカップ状の本体部（４２１）に仕切部（４２２）を係合させて、予備室（４２４）、補充室（４２５）、計量室（４２６）、排出孔（４２７）を区画形成させた定量栓体（４２０）を挿着し、その上から、天板（４３１）に通常のヒンジ（４３３）（切込みにより線状に薄肉部を形成したもの）を介して開閉（１点鎖線で示す）する小蓋（４３２）を有する小蓋付キャップ（４３０）を装着したものであった。
【０００３】
【発明が解決しようとする課題】
しかしながら、上述の従来の内容物を定量排出する容器は、使用時にキャップの小蓋を開口しても、通常のヒンジが使用されているため、９０度以上には開口することが不可能であり、内容物を排出中に小蓋が前方へ倒れ掛かることが多かった。また、開口した小蓋の前方へ倒れ掛かりを防ぐため、排出方向に角度をもたせると、排出量の計量精度が悪くなり、排出量にばらつきを生じた。
【０００４】
本発明は、上述の従来の問題を解決したものであり、内容物を排出中に開口した小蓋の前方への倒れ掛かりがなく、一振り操作による定量排出量の計量精度がよく、しかも、製造時のセット適性が良好な定量排出キャップを提供するものである。
【０００５】
【課題を解決するための手段】
本発明は、図１（ａ）及び（ｂ）に示すように、キャップ本体（１００）の上方に係着してスナップヒンジ（２３０）で開閉する小蓋（２００）と、容器（２０）口部との係合部（１２１）をもつキャップ本体（１００）と、このキャップ本体の内側に係合して吊着する定量栓体（３００）とからなる定量排出キャップであって、前記小蓋（２００）は、外径がキャップ本体の外径より小さく、周壁（２２０）の一側の外周に開封用突起（２２１）を設け、この開封用突起に対応する周壁の位置にスナップヒンジ（２３０）を介して接続する差込片部（２４０）を垂設し、この差込片部の下方にキャップ本体との係合部（２４１）を設けたものであり、前記キャップ本体（１００）は、天板（１１０）に設けた排出口（１１１）と中心点を結ぶ一線上の対応する天板及び側壁（１２０）の位置に小蓋の差込片部との係合部（１１３）をもつ背板（１１２）を垂下する小蓋装着孔（１３０）を設け、この小蓋装着孔に小蓋の装着に支障のない範囲位置に目隠し板（１２２）を設け、容器口部との係合部（１２１）をもつ周壁（１２０）内面に縦の位置合わせ用スリット（１２３，１２４）を形成し、周壁（１２０）上方内面に前記定量栓体（３００）の本体部（３１０）より上方の仕切部（３２０）の両側に当接する位置に回込み防止リブ（１２５，１２６）を設けたものであり、前記定量栓体（３００）は、開口部周縁にフランジ部（３１６）を設け、周壁（３１１）の側面に流入口（３１３）を設け、周壁（３１１）外面に流入口より下方に達するスタッキング防止リブ（３１４，３１５）を設けたカップ状の本体部（３１０）に、キャップ本体の小蓋挿着孔（１３０）を封止する凹陥部（３２２）を設けた天蓋（３２１）と中央の垂直板（３２５）と傾斜板（３２６）を設けた垂下板（３２３）とからなる仕切部（３２０）を挿着して、予備室（３３０）、補充室（３４０）、計量室（３５０）、排出孔（３６０）を区画形成したものであることを特徴とする定量排出キャップ（１０）である。
【０００６】
【発明の実施の形態】
本発明の定量排出キャップ（１０）は、図１（ａ）及び（ｂ）に示すように、ヒンジと弾性片とにより構成されるスナップヒンジ（２３０）（蓋の開き位置により弾性片により自動的に開閉する）で開閉する小蓋（２００）と、プラスチックボトル、ガラス瓶、紙容器などの容器（２０）の口部と螺合や咬合などの係合部（１２１）をもつキャップ本体（１００）と、一振り操作で粉体や顆粒状の内容物の排出量を定量化する計量栓体（３００）とを組み立てるものである。
【０００７】
小蓋（２００）は、通常、ポリプロピレンを射出成形するものであり、図１（ａ）に示すように、外径がキャップ本体の外径より小さく、周壁（２２０）の一側の外周の任意の位置に開封用突起（２２１）を設け、この開封用突起に対応する周壁の位置にスナップヒンジ（２３０）を介して接続する差込片部（２４０）を垂設し、この差込片部の下方にキャップ本体との通常は溝状の係合部（２４１）を設けるものである。
【０００８】
キャップ本体（１００）は、ポリエチレンやポリプロピレンなどを射出成形するものであり、図１（ａ）及び（ｂ）に示すように、天板（１１０）に設ける排出口（１１１）と中心点を結ぶ一線上の対応する天板及び側壁（１２０）の位置に小蓋の差込片部（２４０）との通常は凸状の係合部（１１３）をもつ背板（１１２）を垂下する凹陥状の小蓋装着孔（１３０）を設け、この小蓋装着孔に小蓋の装着するときに支障のない範囲位置に、外観性の向上と塵埃などの侵入を防ぐための目隠し板（１２２）を設け、容器口部との螺合や咬合などの係合部（１２１）をもつ周壁（１２０）内面に縦の位置合わせ用スリット（１２３，１２４）を形成し、周壁上方内面に定量栓体の本体部（３１０）より上方の仕切部（３２０）の両側に当接するように内容物の廻り込み防止リブ（１２５，１２６）を設けるものである。
【０００９】
定量栓体は、図１（ａ）に示すように、開口部周縁にキャップ本体（１００）に係着するフランジ部（３１６）を設け、周壁（３１１）の片側の側面に使用目的に合わせた位置と大きさの内容物の流入口（３１３）を設け、周壁外面に流入口より下方に達するスタッキング防止リブ（３１４，３１５）を設けるカップ状の本体部（３１０）に、キャップ本体の小蓋挿着孔（２３０）を封止する凹陥部（３２２）を設ける天蓋（３２１）と中央の垂直板（３２５）と傾斜板（３２６）を設ける垂下板（３２３）とからなる仕切部（３２０）を、本体部の流入口と仕切部の凹状側の垂下板が対応するように挿着して、仕切部と流入口上方の本体部周壁とに囲まれる予備室（３３０）、仕切部の垂下板下方と流入口下方の本体部周壁とに囲まれる補充室（３４０）、仕切部下方の本体部周壁とに囲まれる計量室（３５０）、凸状側の垂下板と本体部周壁とに囲まれる排出孔（３６０）を区画形成するものである。なお、本体部と仕切部は、ポリエチレンやポリプロピレンなどを射出成形するものである。
【００１０】
そして、本発明の定量排出キャップ（１０）の組み立ては、図１（ａ）に示すように、まず、キャップ本体（１００）の小蓋装着孔（１３０）に、小蓋（２００）の差込片部（２４０）を背板（１１２）に沿わせて挿入し、小蓋装着孔の係合部（１１３）に差込片部の係合部（２４１）を係合させて装着する。次に、小蓋を装着するキャップ本体に、定量栓体（３００）の排出孔（３６０）をキャップ本体の排出口（１１１）に合わせるように、キャップ本体の周壁（１２０）内面に形成される位置合わせ用スリット（１２３，１２４）を用いて挿入し、定量栓体のフランジ部（３１６）をキャップ本体の周壁（１２０）内面に係合させて吊着する。
【００１１】
本発明の定量排出キャップは、使用時に小蓋を開口すると、小蓋は差込片部の上方のスナップヒンジで開閉するため、９０度以上に開口し、一振り操作で定量の内容物を排出するときに、従来の小蓋付キャップのように小蓋が前方に倒れ掛かることがない。さらに、キャップ本体の周壁内面上方に仕切部の両側に当接する廻り込み防止リブが設けられているおり、キャップ本体内上方の内容物の廻り込みがない。この結果、定量排出量の計量精度が良好となる。
【００１２】
また、キャップ本体の周壁内面の係合部に縦の位置合わせ用スリットが設けられているため、キャップ本体に定量栓体を挿着するとき位置決めが容易になり、さらに、定量栓体の本体部周壁外面に、流入口より下方に達するスタッキング防止リブが設けられているため、本体部同士の食い付きがなく、しかも、本体部の座屈強度が向上するため、キャップ本体に定量栓体を挿着するときの組み立て適性が向上する。
【００１３】
【実施例】
まず、本実施例の小蓋を、ポリプロピレンを射出成形して作製した。この小蓋（２００）は、図１（ａ）に示すように、外径がキャップ本体の外径より小さく、天板（２１０）の中心より左側の位置の内面にキャップ本体の排出口（１１１）を封止する封止リング（２１１）を設け、周壁（２２０）の左側の外周上端に開封用突起（２２１）を設け、この開封用突起に対応する周壁の下端にスナップヒンジ（２３０）を介して接続する差込片部（２４０）を垂設し、この差込片部の下方にキャップ本体との溝状の係合部（２４１）を設けるものである。
【００１４】
次に、本実施例のキャップ本体を、ポリプロピレンを射出成形して作製した。このキャップ本体（１００）は、図１（ａ）に示すように、天板（１１０）の中心より左側の位置に排出口（１１１）を設け、この排出口に対応する天板及び側壁（１２０）の位置に小蓋の差込片部（２４０）との凸状の係合部（１１３）をもつ背板（１１２）を垂下する凹陥状の小蓋装着孔（１３０）を設け、この小蓋装着孔に小蓋の装着するときに支障のない範囲で目隠し板（１２２）を設け、容器口部に螺合による係合部（１２１）をもつ周壁（１２０）内面の左右位置に縦の位置合わせ用スリット（１２３，１２４）を形成し、図１（ｂ）に示すように、周壁（１２０）上方内面に定量栓体の本体部（３１０）より上方の仕切部（３２０）の両側に当接する廻り込み防止リブ（１２５，１２６）を設けたものである。
【００１５】
次に、本実施例の定量栓体の本体部と仕切部とを、それぞれポリエチレンを射出成形して作製した。この本体部（３１０）は、図１（ａ）に示すように、カップ状であり、開口部周縁にフランジ部（３１６）を設け、周壁（３１１）の右側の側面に横長の窓状の流入口（３１３）を設け、周壁外面に流入口より下方に達するスタッキング防止リブ（３１４，３１５）を対応して設けたものである。そして、仕切部（３２０）は、図１（ａ）に示すように、天蓋（３２１）の左端に垂下板（３２３）を連ねたものであり、その天蓋のほぼ中央に小蓋挿着孔（２３０）を封止する凹陥部（３２２）を設け、垂下板は、中央の垂直板（３２５）と傾斜板（３２６）を設けたものである。次に、仕切り板を本体部に、図１（ａ）に示すように、本体部の流入口と仕切部の凹状側の垂下板が対応するように挿着して、予備室（３３０）、補充室（３４０）、計量室（３５０）、排出孔（３６０）を区画形成した本実施例の定量栓体を作製した。
【００１６】
次に、上述の小蓋をキャップ本体に装着し、この小蓋を装着したキャップ本体に定量栓体を吊着して、本実施例の定量排出キャップを作製したが、定量栓体の位置合わせがし易く、座屈強度があり、組み立て適性が良好であった。次に、この本実施例の定量排出キャップを、粉体状の内容物を充填したポリエチレン製のブロー成形ボトルの口部に装着した。
【００１７】
上述の本実施例の定量排出キャップを装着した容器は、定量栓体の流入口を上方にして容器を倒立すると、内容物が流入口から予備室へ流入し、再度、容器を正立すると、予備室の内容物が、一部は流入口から容器内に戻るが、大部分は補充室と計量室に移動した。次に、小蓋を開口し、再度、定量栓体の流入口を上方にして容器を倒立すると、補充室と計量室の内容物の大部分は、排出孔を通って排出口から外部で排出されるが、一部は予備室に戻った。この一振り操作において、排出される内容物の量が定量化され、同時に、予備室に流入口から容器の内容物が流入した。以後、内容物の定量排出は、一振り操作で精度よく連続して行えた。なお、小蓋の開口角度は、図１（ａ）に１点鎖線で示すように、１６０度であり、内容物を排出口から排出中に、小蓋が前方への倒れ掛かることはなかった。また、キャップ本体の小蓋装着孔は、目隠し板で内部が覆われており、外観性がよく、内部への塵埃の侵入もなかった。
【００１８】
【発明の効果】
本発明の定量排出キャップを口部に係合させて装着した容器は、使用時に小蓋を開口すると、９０度以上に開口し、一振り操作で定量の内容物を排出するときに、小蓋が前方へ倒れ掛かることがない。このため、排出方向に角度をもたせる必要がなく、さらに、定量栓体内の仕切部の垂下板に傾斜面を設けられ計量された内容物が排出され易く、また、キャップ本体の周壁内面に定量栓体の仕切部の両側に当接する内容物の廻り込み防止リブが設けられているので、定量排出量の計量精度が良好である。そのうえ、キャップ本体の周壁内面の位置合わせ用スリットと定量栓体の本体部周壁外面のスタッキング防止リブにより、製造時のキャップ本体への定量栓体の組み立て適性が良好である。
【図面の簡単な説明】
【図１】（ａ）は、本発明の一実施例の定量排出キャップを容器の口部に装着したときの正面断面図であり、（ｂ）は、側面断面図である。
【図２】（ａ）は、従来の一例の小蓋付キャップの断面図であり、（ｂ）は、容器の口部に従来の一例の定量栓体を挿着したときの断面図である。
【符号の説明】
１０……定量排出キャップ
２０，４１０……容器
２１，１１３，１２１，２４１……係合部
１００……キャップ本体
１１０，２１０，４３１……天板
１１１……排出口
１１２……背板
１２０，２２０，３１１……周壁
１２２……目隠し板
１２３，１２４……位置合わせ用スリット
１２５，１２６……廻り込み防止リブ
１３０……小蓋装着孔
２００，４３２……小蓋
２１１……封止リング
２２１……開封用突起
２３０……スナップヒンジ
２４０……差込片部
３００，４２０……定量栓体
３１０，４２１……本体部
３１２……底部
３１３，４２３……流入口
３１４，３１５……スタッキング防止リブ
３１６……フランジ部
３２０，４２２……仕切部
３２１……天蓋
３２２……凹陥部
３２３……垂下板
３２６……傾斜板
３２５……垂直板
３３０，４２４……予備室
３４０，４２５……補充室
３５０，４２６……計量室
３６０，４２７……排出孔
４３０……小蓋付キャップ
４３３……ヒンジ
【図１】
0003855299.tif 000002
【図２】
0003855299.tif 000003